(57)【特許請求の範囲】
【請求項１】
座台の上にＬ型配置で設けた主ボードおよび補助ボードと、主ボードに並び配置で多数対まで設けた供給・払出のための分岐用ジョイント配管ポートと、補助ボードに所定の配置で着脱自在に装備した、両端の間隔が上記各対の分岐用ジョイント配管ポートの間隔と同じとされた多数個の連結管と、各連結管に設けた銜込みピンと、座台上に左右送り装置および前後送り装置を介して立設した支柱部と、支柱部に上下送り装置を介して装備した向き変更機能を果たす首振装置と、首振装置の作動端に設けた、対の分岐用ジョイント配管ポートと連結管の両端との対応位置で銜え込み状態および非銜え込み状態を呈する上記銜込みピン用の銜止めチャックと、を備えた流体管路の選択接続装置。
【請求項２】
請求項１に係る流体管路の選択接続装置であって、対の分岐用ジョイント配管ポートの間隔および連結管の両端の間隔が組によって異なることを特徴とする流体管路の選択接続装置。
【発明の詳細な説明】
【０００１】
【発明が属する技術分野】
本発明は、例えば任意の流体を選択して特定のタンクへ送入・排出したり、あるいは任意のタンクを選択して当該タンクから流体を他のタンクに送出・分配したり、これ等送入・排出、送出・分配の管路を洗浄したり，滅菌したりする等のことを可能とする流体管路の選択接続装置に関し、特にフレキシブルなホースやチューブを用いていない形式の流体管路の選択接続装置に関する。
【０００２】
【従来の技術】
最近は、需要の多様化に伴って比較的頻繁に、多品種、多銘柄の原料、副原料等を所定の比率で調液・調合したり、配管、タンク等を頻繁に洗浄・滅菌したりしなければならない。
【０００３】
しかし乍ら、この種の分野では、タンクとタンクとを配管で固定接続するか、気密状態の下で手動によってタンクから原料を移し換えるか、する方法が一般的であり、また洗浄，滅菌においても面倒な作業が必要であった。
【０００４】
その結果、タンクとタンクとを結ぶ配管は複雑多岐にわたり運転管理，保全管理が非常に煩雑になるばかりでなく、全体のレイアウトも複雑となり、更に配管の洗浄作業も煩雑で液溜り、コンタミネーション等もあって品質管理上にも問題があった。
【０００５】
そして、上記の問題点を幾分でも解消できるとして提供されているものの中にには、フレキシブルなホースやチューブを用いた形式の流体管路の選択接続装置が知られている。しかし乍ら、これ等形式には、フレキシブルなホース、チューブに所謂ダレ（形の崩れ）が生じて比較的短い期間に新しいものと交換しなければならない、またフレキシブルなホース等の自重による曲り変形部分に液溜りができて洗浄工程時における洗浄性、乾燥工程時における乾燥性，滅菌工程時における滅菌性等が悪い、という問題があった。
【０００６】
【発明が解決しようとする課題】
本発明は、上記した従来技術の諸問題点を解決し、特定の流体を多種のタンクへ分配したり、あるいは多種の流体を特定のタンクへ供給したりする等のことを可能にし、しかも配管の洗浄，乾燥，滅菌を容易にする等の利点を有する、フレキシブルなホース等を用いていない耐久性の高い新規の流体管路の選択接続装置を提供することを目的とする。
【０００７】
【課題を解決するための手段】
上記目的を達成するために本発明に係る流体管路の選択接続装置は、座台の上にＬ型配置で設けた主ボードおよび補助ボードと、主ボードに並び配置で多数対まで設けた供給・払出のための分岐用ジョイント配管ポートと、補助ボードに所定の配置で着脱自在に装備した、両端の間隔が上記各対の分岐用ジョイント配管ポートの間隔と同じとされた多数個の連結管と、各連結管に設けた銜込みピンと、座台上に左右送り装置および前後送り装置を介して立設した支柱部と、支柱部に上下送り装置を介して装備した向き変更機能を果たす首振装置と、首振装置の作動端に設けた、対の分岐用ジョイント配管ポートと連結管の両端との対応位置で銜え込み状態および非銜え込み状態を呈する上記銜込みピン用の銜止めチャックと、を備えたものである。
【０００８】
そして、請求項１に係る流体管路の選択接続装置であって、対の分岐用ジョイント配管ポートの間隔および連結管の両端の間隔が組によって異なることを特徴とするものである。
【０００９】
【実施例】
本発明の実施例を図に依拠して説明する。
【００１０】
先ず、任意に選択して使用できる移動キャスタ１および着地脚２を下面に有する座台３を構成し、この座台３の上に主ボード４と当該主ボード４の左側にＬ型配置で設けた補助ボード５を立設する。
【００１１】
上記主ボード４には狭幅間隔、中幅間隔、広幅間隔の３対を一つのグループとする供給・払出のための分岐用ジョイント配管ポート８ａ〜８ｆを横並び配置で３組まで設けてある。尚、各分岐用ジョイント配管ポート８ａ〜８ｆは、後述する連結管１４〜１６との継手部分を洗浄・殺菌するための洗浄口をもつ洗浄路付き連結継手１３を備え、サニタリー性の確保のため、自動化するため等に有利なようになっている。
【００１２】
また、補助ボード５には３個の狭幅用連結管１４と３個の中幅用連結管１５と３個の広幅用連結管１６を着脱自在に装備してある。尚、補助ボード５には上記の各連結管１４〜１６の両端を抜き差しする形式の着脱孔部材１７が所定の配列で予め設けられていて、これ等着脱孔部材１７は各連結管１４〜１６を必要なときに任意に抜き差し操作で容易に着脱できる待機の状態に保持する。この待機の状態の場合には、洗浄工程やその他の工程を行うことができて時間の有効利用に好適である。
【００１３】
上記各連結管１４〜１６は、その背面に銜込みピン１８を有している。
【００１４】
更に、上記座台３の前側縁上に左右動スライダ２０を左右に往復動する左右送り用ボールネジ装置２１を装備し、この左右送り用ボールネジ装置２１の左右動スライダ２０上に前後動スライダ２２を前後に往復動する前後送り用ボールネジ装置２３を装備すると共に前後動スライダ２２上に支柱部材２４を立設し、この支柱部材２４に上下動スライダ２５を上下に往復動する上下送り用ボールネジ装置２６を固定する。
【００１５】
上下動スライダ２５には、後述する銜止めチャック２９の銜え込み位置および非銜え込み位置を確保するために首振機能を果たすロータリーシリンダ２８を装備し且つ当該ロータリーシリンダ２８の往復端に上記銜込みピン１８の銜止めチャック２９を設ける。尚、この銜止めチャック２９はエア駆動により銜止め機能を果たし、駆動源がなくなったときに連結状態を保持する構造としてある。
【００１６】
すなわち、上記において、例えば分岐用ジョイント配管ポート８ａと分岐用ジョイント配管ポート８ｂに狭幅用連結管１４を接続する場合には、先ず左右送り用ボールネジ装置２１を作動させることによって銜止めチャック２９を補助ボード５に接近した状態とすると共に前後送り用ボールネジ装置２３を作動させることによって補助ボード５上で待機している狭幅用連結管１４の銜込みピン１８に銜止めチャック２９を対応させ、この対応後にロータリーシリンダ２８を銜え込み位置にして銜込みピン１８を銜止めチャック２９で銜えたのちロータリーシリンダ２８を戻して狭幅用連結管１４を着脱孔部材１７から抜き外す。
【００１７】
この外し状態で再び前後送り用ボールネジ装置２３を作動させることによって当該前後送り用ボールネジ装置２３を後端まで移動させると共に狭幅用連結管１４を銜えたままロータリーシリンダ２８を作動させることによって当該狭幅用連結管１４の両端面を主ボード４に対面した状態とする。
【００１８】
更に、この対面後に左右送り用ボールネジ装置２１および上下送り用ボールネジ装置２３の作動を行うことによって外し状態の狭幅用連結管１４の両端を所望の分岐用ジョイント配管ポート８ａおよび分岐用ジョイント配管ポート８ｂに対応させ、この対応後にロータリーシリンダ２８を作動させて狭幅用連結管１４の両端を分岐用ジョイント配管ポート８ａおよび分岐用ジョイント配管ポート８ｂに連結する。尚、この連結後は銜止めチャック２９を外してから左右送り用ボールネジ装置２１および前後送り用ボールネジ装置２３ならびにロータリーシリンダ２８を適宜作動させ、よって銜止めチャック２９を補助ボード５の方に戻しておく。
【００１９】
つまり、同様にすれば、他の狭幅用連結管２３、中幅用連結管２４、広幅用連結管２５の各々は、任意に分岐用ジョイント配管ポート８ａ〜８ｆに連結して通液可能の状態としたり、補助ボード５に戻して待機の状態にしたりできるものである。尚、このような一連の操作は図には示していないが別途設けた制御装置部でコントロールするようにしてある。
【００２０】
本発明を実施する場合には、対の分岐用ジョイント配管ポート８ａ〜８ｆの間隔と連結管の両端の間隔をすべて同じとして完成品を得ることができ、また左右送り装置、前後送り装置、上下送り装置としてラック装置、シリンダ装置、その他往復動装置を用いることができる。
【００２１】
【発明の効果】
本発明に係る流体管路の選択接続装置は、上記のような構成すなわちフレキシブルなホースやチューブを用いていない構成であるので、フレキシブルなホースを比較的頻繁に新しいものと交換しなければならない、洗浄性等が悪いといったような上記した従来の問題を完全に解消することができるものである。
フレキシブルなホースやチューブを用いた形式の流体管路の選択接続装置が知られている。しかし乍ら、これ等形式には、フレキシブルなホース、チューブに所謂ダレ（形の崩れ）が生じて比較的短い期間に新しいものと交換しなければならない、またフレキシブルなホース等の自重による曲り変形部分に液溜りができて洗浄工程時における洗浄性、乾燥工程時における乾燥性，滅菌工程時における滅菌性等が悪い、という問題があった。
【００２２】
【発明が解決しようとする課題】
本発明は、上記した従来技術の諸問題点を解決し、特定の流体を多種のタンクへ分配したり、あるいは多種の流体を特定のタンクへ供給したりする等のことを可能にし、しかも配管の洗浄，乾燥，滅菌を容易にする等の利点を有する、フレキシブルなホース等を用いていない耐久性の高い新規の流体管路の選択接続装置を提供することを目的とする。
【００２３】
請求項１に係る流体管路の選択接続装置は、座台の上にＬ型配置で設けた主ボードおよび補助ボードと、主ボードに並び配置で多数対まで設けた供給・払出のための分岐用ジョイント配管ポートと、補助ボードに所定の配置で着脱自在に装備した、両端の間隔が上記各対の分岐用ジョイント配管ポートの間隔と同じとされた多数個の連結管と、各連結管に設けた銜込みピンと、座台上に左右送り装置および前後送り装置を介して立設した支柱部と、支柱部に上下送り装置を介して装備した向き変更機能を果たす首振装置と、首振装置の作動端に設けた、対の分岐用ジョイント配管ポートと連結管の両端との対応位置で銜え込み状態および非銜え込み状態を呈する上記銜込みピン用の銜止めチャックとを備えているので、上記した実施例のような一連の操作を適宜に行うことによって、特定の流体を多種のタンクへ分配したり、あるいは多種の流体を特定のタンクへ供給したりする等のことを可能にし、しかも配管の洗浄、乾燥、滅菌を容易にする等の利点を有するものである。
【００２４】
また、請求項２に係る流体管路の選択接続装置は、対の分岐用ジョイント配管ポートの間隔および連結管の両端の間隔が組によって異なることを特徴とするので、これによれば図に示す実施例のような３種類の連結管すなわち多種類の連結管を含む構成のものでも完成品として得ることができる。
【００２５】
しかも、本発明によれば図に示す実施例のような、対を形成している分岐用ジョイント配管ポートの向きと待機中の連結管の向きとが異なる等の構成のものでも問題なく容易に提供できる。
【００２６】
更に、本発明において主ボードおよび補助ボードは、座台の上にＬ型配置で設けてこれ等に多数個の分岐用ジョイント配管ポートと多数個の連結管を装備したオープン（展開状態）の構成であるので、配管構成のレイアウトの自由性、拡張性がよいのみならず外部から目で確認できて顕著に視認性がよい等の実用的効果を有するものである。
【図面の簡単な説明】
【図１】本発明の実施例を示す全体の正面図である。
【図２】同じく側面図である。
【図３】同じく平面図である。
【符号の説明】
１  移動キャスタ
２  着地脚
３  座台
４  主ボード
５  補助ボード
８ａ〜８ｆ  分岐用ジョイント配管ポート
１３  洗浄路付き連結継手
１４  連結管
１５  連結管
１６  連結管
１７  着脱孔部材
１８  銜込みピン
２０  左右動スライダ
２１  左右送り用ボールネジ装置
２２  前後動スライダ
２３  前後送り用ボールネジ装置
２４  支柱部材
２５  上下動スライダ
２６  上下送り用ボールネジ装置
２８  ロータリーシリンダ
２９  銜止めチャック
【図１】
0003973381.tif 000002
【図２】
0003973381.tif 000003
【図３】
0003973381.tif 000004